(57)【要約】【課題】新たな構成を有するバックライトモジュール及びその製造方法の提供。【解決手段】設置フレーム内において、入射面と出射面と反射面とを有する導光手段の前記入射面で受けた発光手段からの光を平面光に分散するように案内し、そして前記出射面から設置フレーム外へ出射するバックライトモジュールであって、前記設置フレームは、ポリエステル材からなり、且つ、その平板状の底部の周縁にフェンス部が立設された皿状のものであって、その前記底部の内面が前記導光手段の前記反射面に面するようになっている外フレーム体と、ポリエステル材からなり、且つ、前記外フレーム体に、該外フレーム体の少なくとも前記底部の内面を覆うように熱圧着されている反射シートと、を有していることを特徴とするバックライトモジュールを提供する。【選択図】図２
2012089255.tif 000002
【特許請求の範囲】
【請求項１】
設置フレーム内において、入射面と出射面と反射面とを有する導光手段の前記入射面で受けた発光手段からの光を平面光に分散するように案内し、そして前記出射面から設置フレーム外へ出射するバックライトモジュールであって、
前記設置フレームは、
ポリエステル材からなり、且つ、その平板状の底部の周縁にフェンス部が立設された皿状のものであって、その前記底部の内面が前記導光手段の前記反射面に面するようになっている外フレーム体と、
ポリエステル材からなり、且つ、前記外フレーム体に、該外フレーム体の少なくとも前記底部の内面を覆うように熱圧されている反射シートと、を有していることを特徴とするバックライトモジュール。
【請求項２】
前記反射シートは、前記底部の内面のみでなく前記フェンス部の内面をも覆うようにその周縁が前記フェンス部の先端縁まで延伸したことを特徴とする請求項１に記載のバックライトモジュール。
【請求項３】
設置フレーム内において、入射面と出射面と反射面とを有する導光手段の前記入射面で受けた発光手段からの光を平面光に分散するように案内し、そして前記出射面から設置フレーム外へ出射するバックライトモジュールの製造方法であって、
ポリエステルシートをスタンプ成形で平板状の底部と前記底部の周縁に立設されたフェンス部とを有する皿状の外フレーム体に形成し、
形成された前記外フレーム体の前記底部の内面に、ポリエステル材製の反射シートを熱圧着して設置フレームとして作成し、
作成された設置フレーム内に発光手段及び導光手段を、前記導光手段の反射面が前記底部の内面に面するように組み込んでバックライトモジュールを作製するバックライトモジュールの製造方法。
【請求項４】
設置フレーム内において、入射面と出射面と反射面とを有する導光手段の前記入射面で受けた発光手段からの光を平面光に分散するように案内し、そして前記出射面から設置フレーム外へ出射するバックライトモジュールの製造方法であって、
ポリエステルシートをスタンプ成形で平板状の底部と前記底部の周縁に立設されたフェンス部とを有する皿状の外フレーム体に形成し、
形成された前記外フレーム体の前記底部の内面と前記フェンス部の内面との全面に、ポリエステル材製の反射シートを熱圧着して設置フレームとして作成し、
作成された設置フレーム内に発光手段及び導光手段を、前記導光手段の反射面が前記底部の内面に面するように組み込んでバックライトモジュールを作製するバックライトモジュールの製造方法。
【請求項５】
設置フレーム内において、入射面と出射面と反射面とを有する導光手段の前記入射面で受けた発光手段からの光を平面光に分散するように案内し、そして前記出射面から設置フレーム外へ出射するバックライトモジュールの製造方法であって、
ポリエステルシートの一面にポリエステル材製の反射シートを熱圧着してから、一体化した前記ポリエステルシート及び前記反射シートの前記反射シート側に対してスタンプ加工を施し、平板状の底部と前記底部の周縁に立設されたフェンス部とを有する皿状の設置フレームを作成し、
作成された設置フレーム内に発光手段及び導光手段を、前記導光手段の反射面が前記底部の内面に面するように組み込んでバックライトモジュールを作製するバックライトモジュールの製造方法。
【発明の詳細な説明】
【技術分野】
【０００１】
本発明は、バックライトモジュール及びその製造方法に関する。
【背景技術】
【０００２】
液晶ディスプレイは、バックライトモジュールに冷陰極管を発光手段として用いるのが主流であったが、近年では小型化しやすい白色ＬＥＤも採用されるようになっている。
【０００３】
例えば、図１の概略図では、外部金属フレーム１１、１６と、外部金属フレーム１１、１６内において光を発するＬＥＤ発光手段１５と、入射面１３３と出射面１３２と反射面１３１とを有し、入射面１３３で受けたＬＥＤ発光手段１５からの光を平面光に分散するように案内して出射面１３２から設置フレーム外へ出射する導光手段１３と、導光手段１３の反射面１３１と外部金属フレーム１１との間に介在している反射シート１２と、出射面１３２に配置されている光学フィルム１４とが配置されている従来のバックライトモジュールが示されている。
【発明の概要】
【発明が解決しようとする課題】
【０００４】
しかし、この従来のバックライトモジュールは外部金属フレーム１１、１６に金属材料を多用するため、重量が重くなるという問題点がある。また、金属原料のコストは比較的高く、変動が大きいため、安定供給という面からも問題がある。
【０００５】
また、反射シートはポリエステル材料からなり、接着剤を使用して外部金属フレーム１１に接着されているが、外部金属フレーム１１との接着性が悪く、それによってバックライトモジュールの照明にムラが生じる問題もある。
【０００６】
従って、本発明は上記問題を解決できるバックライトモジュール及びその製造方法の提供を目的とする。
【課題を解決するための手段】
【０００７】
上記目的を達成するために、本発明は、設置フレーム内において、入射面と出射面と反射面とを有する導光手段の前記入射面で受けた発光手段からの光を平面光に分散するように案内し、そして前記出射面から設置フレーム外へ出射するバックライトモジュールであって、前記設置フレームは、ポリエステル材からなり、且つ、その平板状の底部の周縁にフェンス部が立設された皿状のものであって、その前記底部の内面が前記導光手段の前記反射面に面するようになっている外フレーム体と、ポリエステル材からなり、且つ、前記外フレーム体に、該外フレーム体の少なくとも前記底部の内面を覆うように熱圧されている反射シートと、を有していることを特徴とするバックライトモジュールを提供する。
【０００８】
上記バックライトモジュールにおいて、前記反射シートは、前記底部の内面のみでなく前記フェンス部の内面をも覆うようにその周縁が前記フェンス部の先端縁まで延伸していることが好ましい。
【０００９】
また、本発明は、設置フレーム内において、入射面と出射面と反射面とを有する導光手段の前記入射面で受けた発光手段からの光を平面光に分散するように案内し、そして前記出射面から設置フレーム外へ出射するバックライトモジュールの製造方法であって、ポリエステルシートをスタンプ成形で平板状の底部と前記底部の周縁に立設されたフェンス部とを有する皿状の外フレーム体に形成し、形成された前記外フレーム体の前記底部の内面に、ポリエステル材製の反射シートを熱圧着して設置フレームとして作成し、作成された設置フレーム内に発光手段及び導光手段を、前記導光手段の反射面が前記底部の内面に面するように組み込んでバックライトモジュールを作製するバックライトモジュールの製造方法をも提供する。
【００１０】
また、設置フレーム内において、入射面と出射面と反射面とを有する導光手段の前記入射面で受けた発光手段からの光を平面光に分散するように案内し、そして前記出射面から設置フレーム外へ出射するバックライトモジュールについて、本発明の製造方法は、ポリエステルシートをスタンプ成形で平板状の底部と前記底部の周縁に立設されたフェンス部とを有する皿状の外フレーム体に形成し、形成された前記外フレーム体の前記底部の内面と前記フェンス部の内面との全面に、ポリエステル材製の反射シートを熱圧着して設置フレームとして作成し、作成された設置フレーム内に発光手段及び導光手段を、前記導光手段の反射面が前記底部の内面に面するように組み込むことによって達成することもできる。
【００１１】
また、設置フレーム内において、入射面と出射面と反射面とを有する導光手段の前記入射面で受けた発光手段からの光を平面光に分散するように案内し、そして前記出射面から設置フレーム外へ出射するバックライトモジュールについて、本発明の製造方法は、ポリエステルシートの一面にポリエステル材製の反射シートを熱圧着してから、スタンプ成形で前記一面の全面が内面となり、且つ、該一面の周縁部がフェンス部となるように皿状の設置フレームを作成し、作成された設置フレーム内に発光手段及び導光手段を、前記導光手段の反射面が前記底部の内面に面するように組み込むことによって達成することもできる。
【発明の効果】
【００１２】
上記構成による本発明のバックライトモジュール及びその製造方法は、ポリエステル材からなる外フレーム体とポリエステル材からなる反射シートとを使用するので、安価で軽く、且つ十分な強度を有する外フレーム体を有すると共に、反射シートを確実に外フレーム体に固定でき、照明にムラのないバックライトモジュールを提供することができる。
【図面の簡単な説明】
【００１３】
【図１】従来のバックライトモジュールの構成例が示されている概略図である。
【図２】本発明のバックライトモジュールの第１の実施形態の構成を示す概略図である。
【図３】本発明の第１の実施形態のバックライトモジュールの製造方法を示すフローチャートである。
【図４】本発明の第１の実施形態のバックライトモジュールの製造方法を示す説明図である。
【図５】本発明のバックライトモジュールの第２の実施形態の構成を示す概略図である。
【図６】本発明の第２の実施形態のバックライトモジュールの製造方法を示す説明図である。
【図７】本発明の第３の実施形態のバックライトモジュールの製造方法を示すフローチャートである。
【図８】本発明の第３の実施形態のバックライトモジュールの製造方法を示す説明図である。
【発明を実施するための形態】
【００１４】
以下は、図面を参照しながら本発明の各好ましい実施形態について詳しく説明する。
【００１５】
図２は本発明のバックライトモジュールの第１の実施形態の構成を示す概略図である。図示されているように、本発明のバックライトモジュールの第１の実施形態は、設置フレーム２１内において、入射面２２５と出射面２２４と反射面２２３とを有する導光手段２２の前記入射面２２５で受けた発光手段からの光を平面光に分散するように案内し、そして出射面２２４から設置フレーム外へ出射するバックライトモジュールである。
【００１６】
設置フレーム２１は、ポリエステル材からなり、且つ、その平板状の底部２１３の周縁にフェンス部２１４が立設された皿状のものであって、底部２１３の内面が導光手段２２の反射面２２３に面している外フレーム体２１１と、ポリエステル材からなり、且つ、外フレーム体２１１の底部２１３の内面を覆うように熱圧着されている反射シート２１２とからなっている。
【００１７】
この第１の実施形態のバックライトモジュールの製造方法は、図３のフローチャート及び図４の説明図に示されている。
【００１８】
図３、図４に示されるように、この第１の実施形態のバックライトモジュールは、まず、ステップ３１において、平板状のポリエステルシート２１０をスタンプ成形で平板状の底部２１３と底部２１３の周縁に立設されたフェンス部２１４とを有する皿状の外フレーム体２１１に形成する。
【００１９】
続いて、ステップ３２において、形成された外フレーム体２１１の底部２１３の内面に、ポリエステル材製の反射シート２１２を熱圧着して設置フレーム２１として作成する。
【００２０】
それから、ステップ３３において、作成された設置フレーム２１内に発光手段２３及び導光手段２２を組み込む。
【００２１】
導光手段２２は上記説明したように、入射面２２５と出射面２２４と反射面２２３と有しており、また、出射面２２４には複数の光学フィルム２２２が貼り付けられている。導光手段２２を設置フレーム２１内に組み込む際、入射面２２５が発光手段２３に面し、出射面２２４が皿状の外フレーム体２１１の開口に面し、反射面２２３が底部２１３の内面に面するように組み込む。
【００２２】
また、本発明において、発光手段２３は回路基板２３０に白色ＬＥＤ２３１が取り付けられているものを使用することが好ましい。
【００２３】
続いて、図５〜図８を用いて本発明のバックライトモジュールの第２の実施形態の構成及び製造方法について説明する。
【００２４】
図５は本発明のバックライトモジュールの第２の実施形態の構成を示す概略図である。
【００２５】
図示されているように、本発明のバックライトモジュールの第２の実施形態は第１の実施形態とほぼ同じ構成を有しながら、反射シート２１２は、皿状の外フレーム体２１１の底部２１３の内面のみでなく、フェンス２１４部の内面をも覆うようにその周縁がフェンス２１４部の先端縁まで延伸している。
【００２６】
この第２の実施形態のバックライトモジュールは、図３のフローチャートで製造することができる。その内容は図６の説明図に示されている。
【００２７】
図３、図６に示されるように、この第２の実施形態のバックライトモジュールは、まずはステップ３１において、平板状のポリエステルシート２１０をスタンプ成形で平板状の底部２１３と底部２１３の周縁に立設されたフェンス部２１４とを有する皿状の外フレーム体２１１に形成する。
【００２８】
続いて、ステップ３２において、形成された外フレーム体２１１の内面全面に、ポリエステル材製の反射シート２１２を熱圧着して設置フレーム２１として作成する。この際、反射シート２１２は、外フレーム体２１１の底部２１３の内面とフェンス２１４部の内面とを全面的に覆うことができるよう、第１の実施形態に使用されるものより面積が広いものが使用される。
【００２９】
それから、ステップ３３において、作成された設置フレーム２１内に発光手段２３及び導光手段２２を組み込む。
【００３０】
更に、本発明の第３の実施形態のバックライトモジュールは、図７のフローチャート及び図８の説明図に示されている方法で製造することもできる。
【００３１】
図７、図８に示されるように、この第３の実施形態のバックライトモジュールは、まずはステップ４１において、平板状のポリエステルシート２１０の一面にポリエステル材製の反射シート２１２を熱圧着する。
【００３２】
続いて、ステップ４２において、一体化したポリエステルシート２１０及び反射シート２１２の反射シート２１２側に対してスタンプ加工を施し、平板状の底部と前記底部の周縁に立設されたフェンス部とを有する皿状の設置フレーム２１を作成する。
【００３３】
それから、ステップ４３において、作成された設置フレーム２１内に発光手段２３及び導光手段２２を組み込む。
【産業上の利用可能性】
【００３４】
上記構成による本発明のバックライトモジュール及びその製造方法は、ポリエステル材からなる外フレーム体とポリエステル材からなる反射シートとを使用するので、安価で軽く、且つ十分な強度を有する外フレーム体を有すると共に、反射シートを確実に外フレーム体に固定でき、照明にムラのないバックライトモジュールを提供することができる。
【符号の説明】
【００３５】
２１  設置フレーム
２１０  ポリエステルシート
２１１  外フレーム体
２１２  反射シート
２１３  底部
２１４  フェンス部
２２  導光手段
２２２  光学フィルム
２２３  反射面
２２４  出射面
２２５  入射面
２３  発光手段
２３０  回路基板
２３１  白色ＬＥＤ
【図１】
2012089255.tif 000003
【図２】
2012089255.tif 000004
【図３】
2012089255.tif 000005
【図４】
2012089255.tif 000006
【図５】
2012089255.tif 000007
【図６】
2012089255.tif 000008
【図７】
2012089255.tif 000009
【図８】
2012089255.tif 000010